(57)【要約】【課題】軽い握りで身体のリラックス状態が得られ、握りの直列を意図することで無用な力の発生が抑制されるように練習でき、しかも、練習中にこれに反する誤ったグリップ体勢があると、歪み、捻じれ等の変化として表れるため、その変化を読みとって。適正な修正をなしながら効果的に練習ができるゴルフ練習用グリップを提供する。【解決手段】両手握りのグリップを、前端握り部と後端握り部とに分割するとともに、その間に方向自在継手を介在することにより両握り部相互間で自由方向への折れ変化ができるよう直列に連結してなり、さらに、前後握り相互において回転するよう、前端握り部について、その大部分をなす筒状主部と、方向自在継手が直接連結する基短片とで組立て、基短片に筒状主部の中を通る回転中心軸を突設し、筒状主部の先端にその回転中心軸の端に螺入する締めねじを設けたことを特徴とする。【選択図】    図１
2017140283.tif 000002
【特許請求の範囲】
【請求項１】
両手握りのグリップにおいて、前端握り部と後端握り部とに分割するとともに、その間に方向自在継手を介在させることにより両握り部相互間で自由方向への折れ変化ができるよう直列に連結してなり、さらに、前後握り相互において回転するよう、前端握り部について、その大部分をなす筒状主部と、方向自在継手が直接連結する基短片とで組立て、基短片に筒状主部の中を通る回転中心軸を突設し、筒状主部の先端にその回転中心軸の端に螺入する押すねじを設けたことを特徴とするゴルフ練習用グリップ。
【請求項２】
方向自在継手は、中部短片の両端にそれぞれ握り部との連結片を突設するとともに、両連結片を握り部の中心に対し十文字の交差位置において形成してあって、両握り部は、相対向する端部に、前記連結片が差合せに納まる段状部とともに接合片が形成され、連結片と接合片とが軸となるねじピンで締め付け可能に連結されることにより、方向自在継手と搖動可能な連結がなされていることを特徴とする請求項１記載のゴルフ練習用グリップ。
【請求項３】
方向自在継手の両連結片は、先端部においてねじピンを中心とする円弧形に形成するとともに円弧面の先端に係合溝を設け、円弧面が対面する前記段状部の底面には、係合溝に係る突起を出没可能で突に付勢して設けたことを特徴とする請求項２記載のゴルフ練習用グリップ。
【請求項４】
連結片が差合せに納まる段状部の底面に、連結片の円弧面が摩擦するゴムを着設し、前記突起がゴム面から突出していることを特徴とする請求項３記載のゴルフ練習用グリップ。
【発明の詳細な説明】
【技術分野】
【０００１】
この発明は、スイング中の握り具合を良好な状態に調整するとともにその状態を身につかせることができるように誤りを指摘してくれるゴルフ練習用グリップに関する。
【背景技術】
【０００２】
従来、ゴルフ練習用グリップとしては、ゴルフクラブの先端部が切り取られたような短いグリップ単独のものが提供されていた。これはクラブの基本的な握り方とスイングをいつでも(たとえトイレにおいても)習得することができるものとして主に初心者に好評であったが、指導が誤ると却って基本から外れる等の誤った癖がついてしまう欠点があった。
【０００３】
誤った癖としては種々挙げられるが、最も重要な問題としては、スイングの初めから終わりまで両手で強く握り締めることの多いことであって、このスイングが身につくと、身体が硬直し、身体の自由と力が抑制されるため、ボールの方向性と飛距離に満足できない結果を招くということが考えられた。
【発明の概要】
【発明が解決しようとする課題】
【０００４】
この発明は、上記のような知見に基づくもので、軽い握りで身体のリラックス状態が得られ、握りの直列を意図することで無用な力の発生が抑制されるように練習でき、しかも、練習中にこれに反する誤ったグリップ体勢があると、歪み、捻じれ等の変化として表れるため、その変化を読みとって。適正な修正をなしながら効果的に練習ができるゴルフ練習用グリップを提供することを課題とした。
【課題を解決するための手段】
【０００５】
上記の課題を解決するために、この発明は、両手握りのグリップを、前端握り部と後端握り部とに分割するとともに、その間に方向自在継手を介在することにより両握り部相互間で自由方向への折れ変化ができるよう直列に連結してなり、さらに、前後握り相互において回転するよう、前端握り部について、その大部分をなす筒状主部と、方向自在継手が直接連結する基短片とで組立て、基短片に筒状主部の中を通る回転中心軸を突設し、筒状主部の先端にその回転中心軸の端に螺入する締めねじを設けたことを特徴とするゴルフ練習用グリップを提供する。
【０００６】
ゴルフ練習用グリップを上記のように構成したから、前端握り部と後端握り部とを両手でそれぞれ別々に軽く握り、両手の握りを直列に保持しながらスイングを開始し、スイング中にもこの両手握りの体勢を崩さないように努めると、そのスイング姿勢が身に付くことになる。しかし、両手に捩じる曲げる力が生じるなどして体勢が崩れると、くねる無用な力で前端握り部と後端握り部との相互間に力の差が及んで、曲がりが生じたり、回転が生じたりして、その誤りがグリップの形態の変化として表れるので、他人の指導がなくても自分で反省点を知り得て励みとなる。
【発明の効果】
【０００７】
以上説明したように、この発明のゴルフ練習用グリップによれば、軽い握りで身体のリラックス状態が得られ、握りの直列を意図することで無用な力の発生が抑制される等の練習効果が身に付くことになるため実地に効果が直ぐに表れる。しかも、この練習目的を誤ることはないだけでなく、誤りがあっても誤りは視覚可能な変化として表れ、他人の指導が不要であり、着眼点がはっきり知り得るので、飛距離と方向性の確保が短期に結果として表れやすいという優れた効果がある。
【図面の簡単な説明】
【０００８】
【図１】この発明のゴルフ練習用グリップを示す分解斜視図である。
【図２】組み立てた状態を示す正面図である。
【図３】同側面図である。
【図４】図２のＡ−Ａ線矢視の断面図である。
【図５】同Ｂ−Ｂ線矢視の拡大断面図である。
【図６】同Ｃ−Ｃ線矢視の拡大断面図である。
【図７】方向自在継手について突起部分の拡大側面図である。
【図８】使用者の手を仮想線で示す使用状態参考図である。
【図９】スイング中の握りの誤りからグリップが屈折変化した状態を示す使用状態参考図である。
【発明を実施するための形態】
【０００９】
この発明においては、前端握り部１と後端握り部３との相互回転については、前端握り部１の主体として筒状主部１aを設けたが、逆に、後端握り部３について設けても良い。また、グリップ単独としてばかりでなく、ゴルフクラブとして実施することもできる。
【実施例】
【００１０】
図面は一実施例を示したもので、そのゴルフ練習用グリップＰは、前端握り部１と後端握り部３と、その間に介在される方向自在継手５との組合せからなり、全体的に前端へやや小径の錐形になっている。
【００１１】
方向自在継手５は、前端握り部１と後端握り部３との間の中間となる中部短片７に前後両連結片９，９を相互十文字交差位置になるよう突設してなり、両連結片９，９の先端部が円弧形周面に形成され、円弧の円の中心に連結用通し孔１１，１１が設けられている。また、円弧面の先端には谷形の係合溝１４が設けられている。
【００１２】
この方向自在継手５に対して、両握り部１，３には、端部に連結片９が差し合う段状部１２を設けることにより連結片９が差し合う接合片１３が形成され、接合片１３の中央にねじピン１０の螺入するねじ孔１５が設けられる。そして、コイルばね１７を介して通し孔１１からねじピン１０が連結片９のねじ孔１５に螺入される。これで、前端握り部１と後端握り部３とは、方向自在継手５を介して直列状態から相互に直角に異なる方向に屈折する状態となる。次に、軸回転について説明する。
【００１３】
軸回転は、前端握り部１の大部分が方向自在継手５に対して回転するようにしたもので、前端握り部１は、大部分としての筒状主部１aと残り基短片１bとで構成し、基短片１bに前記した接合片１３が形成され、接合片１３が方向自在継手５の連結片９と搖動可能にねじピン１０で連結される。
【００１４】
また、前端握り部１の構造については、基短片１に筒状主部１aの中に通す回転中心軸１９を突設し、その先端に雌ねじ２０が形成されているので、筒状主部１aからコイルばね２２を介して押すねじ２１を螺入する。これで回転中心軸１９が軸支されるとともに、筒状主部１aが基短片１と結合する。なお、筒状主部１aの両端部には回転中心軸１９が嵌る筒形支承片２３，２３が内装され、端面には座金２５が当てられる。
【００１５】
使用するときには、自由に形が変化しないよう予め制動を働かせておくため、ねじピン１０，１０と押すねじ２１を適度に締め付けておく。そして前端握り部１、方向自在継手５、後端握り部３が直列になった状態において、手の平との間にわずかな空間が生じるような気持ちで握り部１，３を両手で直列に握りながらスイングを開始し、スイング中もその姿勢を保持するように努める。そしてこの練習を繰り返しているうちに、両手の握りの直列と軽い握りが身について、やがて飛距離の増大と正確性の向上が練習成果として発揮される。なお、グリップＰの捻じれや歪み、折れ等のメッセイジはスイングの後半Ｑにおいて発生しやすい（図８、図９）。
【００１６】
制動については、前記の如く、ねじピン１０と押すぴん２１の締付けのほかに、突起２７との係合や、ゴム２９による摩擦が挙げられる。直列保持については、段状部１２の底面の中央に突起２７が出没可能で突に付勢して突出されるが、制動のためのゴム２９の中にそれが突出される。そして、連結片９の先端にはゴム２９に接触する円弧面の先端に突起２７に引っかかる係合溝１４が形成されている。
【符号の説明】
【００１７】
Ｐ  ゴルフ練習用グリップ
１  前端握り部
１a 筒状主部
１b 基短片
３  後端握り部
５  方向自在継手
７  中部短片
９  連結片
１０  ねじピン
１１  通し孔
１２  段状部
１３  接合片
１４  係合溝
１５  ねじ孔
１９  回転中心軸
２１  押すねじ
２７  突起
２９  ゴム
【図１】
2017140283.tif 000003
【図２】
2017140283.tif 000004
【図３】
2017140283.tif 000005
【図４】
2017140283.tif 000006
【図５】
2017140283.tif 000007
【図６】
2017140283.tif 000008
【図７】
2017140283.tif 000009
【図８】
2017140283.tif 000010
【図９】
2017140283.tif 000011